(57)【要約】      （修正有）【課題】ファッション性が良く、ゴミの減容化や低減が可能で平面置きあるいは自立置きのいずれでも使用できる使い勝手の良いウエットシート包装体を提供する。【解決手段】フィルムまたはシートからなる自立タイプの袋体の内部に連続取り出し可能としたウエットシート５を収容した状態で、当該袋体の周縁部をシールした構成とする。袋体の上部には、少なくとも一側縁部２１または上縁部２２に開封用のノッチ６を形成し、このノッチ６よりもウエットシート５の収納されている側に位置する袋体内面部分に密閉用のジッパー７を設ける。このジッパー７によって密閉されるウエットシート５収納部の上部側に、ウエットシート５を外部に取り出すための取り出し口部材８を装着し、この取り出し口部材８に、袋体内部に収納されているウエットシート５の乾燥を防止するキャップ９を備える。【選択図】図２
2010285173.tif 000002
【特許請求の範囲】
【請求項１】
フィルムまたはシートからなる自立タイプの袋体を有し、
この袋体の内部に連続取り出し可能としたウエットシートを収容した状態で、当該袋体の周縁部がシールされており、
袋体の上部には、少なくとも一側縁部または上縁部に開封用のノッチが形成されており、
このノッチよりもウエットシートの収納されている側に位置する袋体内面部分に、密閉用のジッパーが設けられており、
このジッパーによって密閉されるウエットシート収納部の上部側に、ウエットシートを外部に取り出すための取り出し口部材が装着されており、
この取り出し口部材には、袋体内部に収納されているウエットシートの乾燥を防止するキャップが備えられていることを特徴とするウエットシート包装体。
【請求項２】
一方の側縁部の上部側が他方の側縁部側に向けて所定角度だけ傾斜した傾斜部とされており、この傾斜部に、前記キャップを備えた取り出し口部材が装着されている、請求項１記載のウエットシート包装体。
【請求項３】
前記キャップを備えた取り出し口部材は、袋体に設けられた取り付け孔に装着されて前記キャップによって取り出し口が閉じられる外筒部材と、この外筒部材に袋体内部側から挿入されて嵌合される内筒部材とを有し、
外筒部材には前記キャップが連結されており、
内筒部材には、その筒内を袋体の内部側と外部側とに区画する隔壁部が設けられており、
この隔壁部にウエットシート引き出し用のスリット部が形成されている、請求項１または２記載のウエットシート包装体。
【請求項４】
前記キャップを備えた取り出し口部材は、前記キャップを連結した筒部材で構成されており、
この筒部材には、筒内を袋体の内部側と外部側とに区画する隔壁部が設けられており、
この隔壁部にウエットシート引き出し用のスリット部が形成されている、請求項１または２記載のウエットシート包装体。
【請求項５】
フィルムまたはシートからなる自立タイプの袋体を有し、
この袋体の内部に連続取り出し可能としたウエットシートを収容した状態で、当該袋体の周縁部がシールされており、
袋体の上部には、少なくとも一側縁部または上縁部に開封用のノッチが形成されており、
このノッチよりもウエットシートの収納されている側に位置する袋体内面部分に、密閉用のジッパーが設けられており、
袋体の内部には、当該内部空間をウエットシートの収納されている側の空間とジッパー側の空間とに区画する内蓋が設けられており、
この内蓋に、ウエットシートを外部に取り出すための取り出し口が設けられていることを特徴とするウエットシート包装体。
【請求項６】
前記取り出し口には、この部分をウエットシートの収納されている側とジッパー側とに区画する隔壁部が設けられており、
この隔壁部にウエットシート引き出し用のスリット部が形成されている、請求項５記載のウエットシート包装体。
【請求項７】
袋体の底部にはガゼット部が設けられている、請求項１ないし６のいずれかに記載のウエットシート包装体。
【請求項８】
袋体の側縁部にはガゼット部が設けられている、請求項１ないし７のいずれかに記載のウエットシート包装体。
【発明の詳細な説明】
【技術分野】
【０００１】
本発明は、自立タイプの袋体の内部にウエットシート（化粧料シートを含む）を収容したウエットシート包装体に関する。
【背景技術】
【０００２】
不織布製のシートにアルコールなどの液体成分を含浸させたウエットシート（化粧料成分を含浸させた化粧料シートを含む）は、清拭や化粧などに使用される衛生用品として周知である。このようなウエットシートは、使用するまでに乾燥してしまわないように気密性を有する袋や容器に収容されたウエットシート包装体として提供されるのが通例である。
【０００３】
このようなウエットシート包装体としては、従来、主として２つのタイプが存在する。一つは、携帯に便利な袋タイプのもので、プラスチックフィルム或いはこれにアルミニウム箔などを積層（ラミネート）してなる複合フィルムを用いて、その両サイドを熱融着によりシールして袋状とし、これにウエットシートを収納して密封した、いわゆる両サイド平面熱融着シールピロー包装品などである。このタイプには、飲食店などで客に提供される使い捨てタイプのウエットティシュ包装体も含まれる。
【０００４】
もう一つは、主に住居や車内などで使用される円筒容器タイプのもので、プラスチック製の有底円筒容器（ブロー成形品）にロール状のウエットシートを入れ、その開口端側に、内部に収納されたウエットシートの乾燥を防止しつつ当該シートを一定の長さ分ずつ取り出せるように工夫した蓋を装着したものである（例えば特許文献１参照）。この円筒容器タイプのものは、通常はウエットシートを収容した容器を立てた状態にして置いておき、その上部の蓋に設けられたシート取り出し口からウエットシートを一定長さ分ずつ引き出して使用するようになっており、ロール状のウエットシートが無くなるまで使用できて使い勝手が良いというメリットがある。
【先行技術文献】
【特許文献】
【０００５】
【特許文献１】特開２０００−３５５３４０号公報
【発明の概要】
【発明が解決しようとする課題】
【０００６】
上述のように従来のウエットシート包装体には、携帯され或いは一回で使い捨てられることを前提とした袋タイプのものと、住居等での使用を想定した円筒容器タイプのものとがあるが、これまではどちらかというと前者の携帯タイプのウエットシート包装体の使用頻度が高かった。このような携帯用等の袋タイプのウエットシート包装体ではファッション性（デザイン性）が重視されるが、最近では住居等でウエットシートが使用される場合も多くなっていることから、そのような場所で使用されるウエットシート包装体にもファッション性が要求されるようになってきた。
【０００７】
ところが、従来の円筒容器タイプのウエットシート包装体においては、ロール状に巻かれたウエットシートを、その乾燥を防止しつつ如何にして所定量ずつスムーズに容器内から取り出せるようにするか、言い換えれば如何にして使い勝手を良くするかといった機能面に重点が置かれており、ファッション性については殆ど考慮されていなかった。
【０００８】
また、最近では環境保全の観点からゴミを如何に少なくするか、つまりゴミの減容化が重要な課題となっているが、上述したようなプラスチックのブロー成形品からなる従来の円筒容器タイプのウエットシート包装体では、袋タイプのものと比べるとプラスチックの使用量が相対的に多いのみならず、使用済み容器の減容化も困難であるという問題があった。
【０００９】
一方、従来の袋タイプのウエットシート包装体では、ウエットシートを使用する際、その都度袋を破って中のウエットシートを取り出さなければならい。すなわち、円筒容器タイプのウエットシート包装体のように必要なウエットシートのみを素早く取り出すことができないため、家庭等での使い勝手が円筒容器タイプのものに比べると劣る。またウエットシートを収納していた袋もゴミとして捨てられるため、使用済みのウエットシート以外に余分なゴミが発生するという問題がある。
【００１０】
本発明は、上記のような事情に鑑みてなされたもので、使い勝手が良いだけでなくファッション性も良く、しかもゴミの減容化や低減が可能で平面置き（寝かせた状態）あるいは自立置き（立てた状態）のいずれでも使用できるウエットシート包装体を提供することを目的とする。
【課題を解決するための手段】
【００１１】
上記の目的を達成するため、本発明のウエットシート包装体は、以下のように構成したものである。
【００１２】
すなわち、フィルムまたはシートからなる自立タイプの袋体を有し、この袋体の内部に連続取り出し可能としたウエットシートを収容した状態で、当該袋体の周縁部をシールした構成とする。袋体の上部には、少なくとも一側縁部または上縁部に開封用のノッチを形成する。このノッチよりもウエットシートの収納されている側に位置する袋体内面部分に密閉用のジッパーを設ける。このジッパーによって密閉されるウエットシート収納部の上部側に、ウエットシートを外部に取り出すための取り出し口部材を装着する。この取り出し口部材には、袋体内部に収納されているウエットシートの乾燥を防止するキャップを備える。
【００１３】
ここで、袋体における一方の側縁部の上部側を他方の側縁部側に向けて所定角度だけ傾斜した傾斜部とし、この傾斜部に、前記キャップを備えた取り出し口部材を装着した構成とするのが望ましい。
【００１４】
前記キャップを備えた取り出し口部材は、袋体に設けられた取り付け孔に装着されて前記キャップによって取り出し口が閉じられる外筒部材と、この外筒部材に袋体内部側から挿入されて嵌合される内筒部材とで構成することができる。その場合、外筒部材に前記キャップを連結し、内筒部材に、その筒内を袋体の内部側と外部側とに区画する隔壁部を設け、この隔壁部にウエットシート引き出し用のスリット部を形成する。
【００１５】
また、前記キャップを備えた取り出し口部材を、前記キャップを連結した筒部材で構成し、この筒部材に、その筒内を袋体の内部側と外部側とに区画する隔壁部を設け、この隔壁部にウエットシート引き出し用のスリット部を形成した構成としてもよい。
【００１６】
以上は、袋体における一方の側縁部の上部側を傾斜部とし、この部分に、乾燥防止用のキャップを備えた取り出し口部材を装着した場合の構成であるが、このような構成の一部を変更して、下記のような内蓋を備えた構成とすることもできる。
【００１７】
すなわち、フィルムまたはシートからなる自立タイプの袋体を有し、この袋体の内部にロール状に巻かれたウエットシートを収容した状態で、当該袋体の周縁部がシールした構成とする。この袋体の上部には、少なくとも一側縁部または上縁部に開封用のノッチを形成する。このノッチよりもウエットシートの収納されている側に位置する袋体内面部分に密閉用のジッパーを設ける。そして、袋体の内部に、当該内部空間をウエットシートの収納されている側の空間とジッパー側の空間とに区画する内蓋を設け、この内蓋に、ウエットシートを外部に取り出すための取り出し口を設けた構成とする。
【００１８】
この場合、前記取り出し口に、この部分をウエットシートの収納されている側とジッパー側とに区画する隔壁部を設け、この隔壁部にウエットシート引き出し用のスリット部を形成した構成とするのが望ましい。
【００１９】
本発明のウエットシート包装体では自立タイプの袋体を使用するが、自立タイプとするための具体的な構造としては、袋体の底部や側縁部にガゼット部を設けた構成とすることができる。
【００２０】
本発明のウエットシート包装体においては、連続取り出し可能としたウエットシートとして、ロール状に巻いたウエットシートや、シート長手方向において一定間隔ごとに交互に逆方向に折り畳んだウエットシートを用いることができる。これらのウエットシートにおいては、取り出し口部材（取り出し口）から外側に引き出したときに一定の長さのところで切れるように、シート長手方向において一定間隔ごとに幅方向にいわゆるミシン目（切れ目、破断線）を形成しておくのが望ましい。
【発明の効果】
【００２１】
本発明のウエットシート包装体を使用する際には、まず袋体上部のノッチ部分を切り裂くか引き裂いた上で密閉用のジッパーを操作して当該袋体の上部を開封する。そして、袋体内部のウエットシートの先端側を取り出し口部材または内蓋の取り出し口に挿通して少しだけ引き出した状態にセットし、その状態で取り出し口部材にキャップを被せたうえでジッパーを閉じ操作して袋体の上部を閉じる（図２等参照）、または内蓋の上方にあるジッパーを閉じ操作して袋体の上部を閉じる（図１２参照）。
【００２２】
このようにすると、ウエットシート包装体を取り出すための取り出し口部材がキャップによって閉鎖されるとともに、袋体上部がジッパーによって閉じられた状態となるので、袋体の内部に収納されているウエットシートの乾燥を防止することができる。また、開封するまでは袋体の周縁部がシールされた状態となっているので内部のウエットシートが乾燥することはない。
【００２３】
本発明のウエットシート包装体は、上記のようにした状態でキャップを外し、取り出し口部材から外側にわずかに出ているウエットシートの先端部分を必要分だけ引き出して使用することができる。また、内蓋を備えたものでは、袋体上部のジッパーを操作して当該上部側を開き、内蓋の取り出し口から少しだけ出ているウエットシートの先端部分を必要分だけ引き出して使用することができる。
【００２４】
このように本発明のウエットシート包装体においては、取り出し口からウエットシートを引き出すことで必要な分だけウエットシートを簡単に取り出すことができるので、従来の袋タイプのウエットシート包装体のようにウエットシートを取り出す際にその都度袋を破ったりする必要がなく、破った袋をゴミとして捨てることもない。したがって、従来の袋タイプのものに比べて使い勝手が良く、使用の都度ゴミが生じることもない。また、ウエットシートを使い切った場合には袋体のみを廃棄すればよいから、従来のプラスチック製の円筒容器を使用したウエットシート包装体と比べてゴミの発生量が少ないだけでなく、ゴミの減容化の点でも優れている。
【００２５】
本発明のウエットシート包装体は、フィルムまたはシートからなる自立タイプの袋体の内部にウエットシートを収容した構成であるので、平面置き（寝かせた状態）あるいは自立置き（立てた状態）のいずれでも使用でき、その点でも使い勝手が良い。また、自立タイプの袋体を使用したウエットシート包装体は商品としても目新しく、ファッション性の点でも優れている。
【図面の簡単な説明】
【００２６】
【図１】本発明の実施例１に係るウエットシート包装体の全体構造（未使用状態）を示す正面図である。
【図２】本発明の実施例１に係るウエットシート包装体の全体構造（使用可能状態）を示す正面図である。
【図３】図２のＡ−Ａ線断面図である。
【図４】図２のＢ−Ｂ線断面図である。
【図５】上記ウエットシート包装体におけるキャップを開けた状態を示す斜視図である。
【図６】上記のウエットシート包装体において取り出し口部材からウエットシートの一部を引き出したときにそのミシン目部分で切れた状態を示す部分側面図である。
【図７】上記ウエットシート包装体における袋体の構成要素を示す分解斜視図である。
【図８】本発明の実施例２に係るウエットシート包装体の正面図である。
【図９】その使用可能状態における上部側の断面を拡大して示す縦断面図である。
【図１０】その中央縦断表面図である。
【図１１】本発明の実施例３に係るウエットシート包装体の正面図である。
【図１２】その上部の断面を拡大して示す部分縦断面図である。
【図１３】本発明の実施例４に係るウエットシート包装体の袋体上部の構造を示す正面図である。
【図１４】本発明の実施例５に係るウエットシート包装体の取り出し口部品の周辺構造を示す断面図である。
【発明を実施するための形態】
【００２７】
以下、本発明の実施例について説明する。
【実施例１】
【００２８】
図１および図２は、本発明の実施例１に係るウエットシート包装体の全体構造を示すもので、このうち図１は開封前の未使用状態のもの（出荷時のもの）を示し、図２は開封後の使用状態（使用可能状態）のものを示す。
【００２９】
これらの図に示すように、本実施例に係るウエットシート包装体１は、プラスチック製フィルムを主体とした気密性を有するラミネートフィルムからなる自立タイプ（スタンディングタイプ）の袋体２を有する。この袋体２は胴部３と底部４とからなり、図３にも示すように、底部４にガゼット部Ｇが設けられて、当該底部４が平面視（図１および図３において図中の上方側から見た状態）で二次元の形状を有していることにより自立可能とされている。なお、袋体２を形成している素材等や製袋方法については後述する。
【００３０】
袋体２の内部にはロール状に巻かれたウエットシート５が収容されており、その状態で当該袋体２の周縁部がシール（ここではヒートシール）されていることにより、袋体２の内部が気密・液密の状態に保たれた構造となっている。
【００３１】
袋体２の上部には、その一側縁部２１に開封用のノッチ６が形成されているとともに、このノッチ６よりもウエットシート５の収納されている側に位置する袋体内面部分に、袋体２の上縁部２２に沿って幅方向に延びる密閉用のジッパー７が設けられている。このジッパー７はプラスチック材で形成され、図４に示すように、上述した幅方向に延びる凹条部分７１と、これに係脱可能な凸条部分７２とからなる。そして、これらを係脱させることで開閉操作が可能とされている。
【００３２】
袋体２の一方の側縁部２３の上部側は、他方の上記一側縁部２１側に向けて所定角度（例えば仰角が４５〜７０となるような角度）だけ傾斜した傾斜部２４とされており、この傾斜部２４に設けた所定の取り付け孔２５に、袋体内部のウエットシート５の一端側を外部に取り出すための取り出し口部材８が装着されている。
【００３３】
この取り出し口部材８は、袋体２に設けられた取り付け孔２５に装着されたプラスチック製の外筒部材８１と、この外筒部材８１に袋体内部側から挿入されて嵌合されたプラスチック製の内筒部材８２とを有する。このうちの外筒部材８１には、その外側の開口端を閉じることで袋体内部に収納されているウエットシート５の乾燥を防止するキャップ９が備えられている。このキャップ９は、図示例では外筒部材８１にヒンジ８１ａ部を介して連結されている。さらに、外筒部材８１の外周側にはフランジ部８１ｂが形成されており、袋体２の傾斜部２４に設けた取り付け孔２５に外筒部材８１を装着した状態で当該取り付け孔２５を囲む袋体外面側部に前記フランジ部８１ｂが当接する構造となっている。なお、図示例の外筒部材８１、キャップ９およびヒンジ部８１ａ部は一体成形により形成されたものである。
【００３４】
一方、内筒部材８２には、図６に拡大して示すように、その筒内を袋体２の内部側と外部側とに区画する隔壁部８２ａが設けられており、この隔壁部８２ａにウエットシート引き出し用のスリット部８２ｂが形成されている。そして、袋体内部に収容する連続取り出し可能としたウエットシート（図示例ではロール状に巻いたウエットシート）５として、当該シートの長手方向に一定間隔ごとに短手方向に延びるいわゆるミシン目（切断されるべき部分としてのミシン目）を入れたものを使用した場合（本実施例でもこのようなミシン目を入れたウエットシートが使用されている）において、その先端側をスリット部８２ｂを通じて所定量だけ引き出した際に当該スリット部８２ｂとウエットシート５との間で生じる摩擦抵抗により、当該スリット部８２ｂを通過した直後のミシン目部分で、引き出したウエットシート部分が切れて分離されるようになっている。なお、内筒部材８２の袋体内部側位置する端部にもフランジ部８２ｃが設けられており、このフランジ部８２ｃと上記外筒部材のフランジ部８１ｂとで袋体２の側縁部２３が挟持されるようになっている。
【００３５】
ここで、上記の袋体２の製袋方法について簡単に説明する。上記の袋体は、図７に示すように、その大部分を形成するラミネートフィルムからなる一対の胴部３・３と、同じくラミネートフィルムからなる底部４との３つのピースで構成されている。これらの胴部３・３および底部４をそれぞれ形成している各ラミネートフィルムの内面側は熱融着が可能なシーラント層とされている。そして、図７に示すように一対の胴部３・３間に底部４および上述した取り出し口部材８およびジッパー７の凹条部分７１と凸条部分７２とを所定の位置関係で配置した状態で、両胴部３・３の周縁部をヒートシールすることにより、上述の構成を有する自立タイプの袋体２としたものである。なお、底部４のシールはガゼット部Ｇを形成するために、いわゆる船底シールとされている。すなわち、図７に示すように一対の胴部３・３間に配置した底部４をその中央で山形に折ってセットした状態で、図２および図３に示すように、一方の胴部３の下端部内面側にこれと対向する底部面の下端側を熱融着するとともに、他方の胴部３の下部内面側にこれと対向する底部面の下端側を熱融着し、さらに袋体２の両側縁部２１・２３の位置で両胴部３・３および底部４をスポット的に熱融着することで、上記のガゼット部Ｇを形成したものである。
【００３６】
上記のウエットシート包装体１は、図１に示すような状態で市場に出荷される。この状態では、袋体２の周縁部が全周にわたってシールされているとともに取り出し口部材８にキャップ９が被着されていることにより、袋体内部の気密性が確保されているので、袋体内部のウエットシート５が乾燥してしまうことが防止される。また、袋体２の内部に連続取り出し可能に収納されたロール状のウエットシート５は、その中心側の端部をある程度引き出して、その部分を、取り出し口部材８を構成する内筒部材８２のスリット部８２ｂから隔壁部８２ａの出口側に突出させた状態とされている。取り出し口部材８を構成する外筒部材８１と内筒部材８２は分離した状態となっており、未だ一体化されていない。
【００３７】
このウエットシート包装体１を使用するに当たっては、まず袋体上部のノッチ６の部分を切り裂くか引き裂いた上で密閉用のジッパー７を操作して袋体２の上部を開封する。そして、袋体内部のウエットシート５の先端側に装着されている内筒部材８２を図２に示したように外筒部材８１の内側に挿入して嵌合させ、さらに取り出し口部材８にキャップ９を被せた状態のままジッパー７を閉じ操作して袋体２の上部を閉じる。これにより、キャップ９を外して取り出し口部材８からウエットシート５の先端側を外部に引き出すだけで使用が可能な状態となるが、この使用可能状態においてもキャップ９を外さない限りは袋体２の内部が気密に保たれるので、内部のウエットシート５が乾燥することを防止できる。
【００３８】
このような使用可能状態としたウエットシート包装体１から、実際にウエットシート５の一部を取り出して使用する場合には、図５に示すように、上記の取り出し口部材８に被せられているキャップ９を外して、取り出し口部材８から外側に出ているウエットシート５の先端部分をさらに外側に引き出す。このようにすると、図６に示すように取り出し口部材８における内筒部材８２の隔壁部８２ａに設けたスリット部８２ｂとウエットシート５との間で生じる摩擦抵抗により、当該スリット部８２ｂを通過した直後のミシン目部分で、引き出したウエットシート５が切れて分離される。こうして一回分のウエットシートだけを簡単に引き出すことができる。
【００３９】
このように本実施例のウエットシート包装体１においては、取り出し口部材８の取り出し口からウエットシート５の一部を引き出すことで必要な分だけのウエットシート５を簡単に取り出すことができる。したがって、従来の袋タイプのウエットシート包装体のようにウエットシートを取り出す際にその都度袋を破ったりする必要がなく、破った袋をゴミとして捨てることもない。すなわち、従来の袋タイプのものに比べて使い勝手が良く、使用の都度ゴミが生じることもない。また、ウエットシートを使い切った場合には袋体のみを廃棄すればよいから、従来のプラスチック製の円筒容器を使用したウエットシート包装体と比べてもゴミの発生量が少ないだけでなく、ゴミの減容化を図れる点で優れている。
【００４０】
さらに、本実施例のウエットシート包装体１は、底部４にガゼット部Ｇが設けられて自立可能とされた袋体２の内部にロール状に巻かれたウエットシート５を収容した構成であるので、平面置き（寝かせた状態）あるいは自立置き（立てた状態）のいずれでも使用でき、その点でも使い勝手が良い。また、自立タイプの袋体２を使用したウエットシート包装体１は商品としても目新しく、ファッション性に優れているという利点を有する。
【００４１】
加えて、本実施例のウエットシート包装体１においては、袋体２の一方の側縁部２３の上部側を所定角度の傾斜部２４とし、この傾斜部２４に設けた所定の取り付け孔２５に取り出し口部材８が装着されていることにより、図１等に示したように自立置きとした状態においてウエットシート５の先端側を取り出す際にも袋体２が安定し、したがってウエットシート２の一部を引き出しやすいというメリットがある。
【実施例２】
【００４２】
図８ないし図１０は、本発明の実施例２に係るウエットシート包装体１を示したものである。このウエットシート包装体１においては、袋体を２構成している一方の胴部３（３１）の幅方向中央部に、袋体内部のウエットシート５の一部を外部に取り出すための取り出し口部材８が装着されている点が、上述した実施例１のウエットシート包装体１の構成と異なる。それ以外は、実施例１の場合と同様であって実施例１で述べた説明がそのまま当てはまるので、その他の部分は実施例１の場合と同様の符号を付してその説明を省略する。
【実施例３】
【００４３】
図１１および図１２に、本発明の実施例３に係るウエットシート包装体１を示す。これらの図に示すように、本実施例に係るウエットシート包装体１は、プラスチック製フィルムを主体とした気密性を有するラミネートフィルムからなる自立タイプ（スタンディングタイプ）の袋体２を有する。この袋体２は胴部３と底部とからなり、このうの底部４にガゼット部Ｇが設けられて、当該底部４が平面視で二次元の形状を有していることにより自立可能となっている。
【００４４】
袋体２の内部にはロール状に巻かれたウエットシート５が収容されており、その状態で当該袋体２の周縁部がシール（ここではヒートシール）されていることにより、袋体２の内部が気密・液密の状態に保たれた構造となっている。
【００４５】
袋体２の上部には、その一側縁部２１に開封用のノッチ６が形成されているとともに、このノッチ６よりもウエットシート５の収納されている側に位置する袋体内面部分に、袋体２の上縁部２２に沿って幅方向に延びる密閉用のジッパー７が設けられている。このジッパー７の構成は実施例１の場合と同様であるので、対応する部分に同符号を付してその説明を省略する。
【００４６】
以上の構成は、実施例１のウエットシート包装体１と同じであるが、下記の構成が実施例１の場合と異なる。すなわち、本実施例に係るウエットシート包装体１においては、袋体２の内部に、当該内部空間をウエットシート５の収納されている側の空間とジッパー側の空間とに区画する内蓋１０が設けられており、この内蓋１０に、ウエットシート５の一端側を外部に引き出して取り出すための取り出し口１１が設けられている。そして、この取り出し口１１には、この部分をウエットシート５の収納されている側とジッパー７側とに区画する隔壁部１１ａが設けられており、この隔壁部１１ａにウエットシート引き出し用のスリット部１１ｂが形成されている。この場合の隔壁部１１ａおよびスリット部１１ｂの構成は、実施例１における場合と同様である。
【００４７】
本実施例のウエットシート包装体１を使用する際には、まず袋体上部のノッチ６の部分を切り裂くか引き裂いた上で密閉用のジッパー７を操作して当該袋体２の上部を開封する。そして、袋体内部のウエットシート５の先端側を内蓋１０の取り出し口１１に挿通して隔壁部１１ａにおけるスリット部１１ｂから外側に少しだけ引き出した状態にセットする。この引き出されたウエットシート５の先端部分をさらに外側に引き出すと、実施例１の場合と同様に、取り出し口１１における隔壁部１１ａに設けたスリット部１１ｂとウエットシート５との間で生じる摩擦抵抗により、当該スリット部１１ｂを通過した直後のミシン目部分で、引き出したウエットシート５が切れて分離される。こうして一回分のウエットシート５だけを簡単に引き出すことができる。使用後は内部のウエットシート５が乾燥してしまわないようにジッパー７を閉じ操作して袋体上部の開口部を閉じておく。
【００４８】
このように本実施例のウエットシート包装体１においては、袋体内の内蓋１０に設けた取り出し口１１からウエットシート５の一端側を外側に引き出すことで一回分のウエットシート５を簡単に取り出すことができる。したがって、従来の袋タイプのウエットシート包装体のようにウエットシートを取り出す際にその都度袋を破ったりする必要がなく、破った袋をゴミとして捨てることもない。すなわち、従来の袋タイプのものに比べて使い勝手が良く、使用の都度ゴミが生じることもない。また、ウエットシートを使い切った場合には袋体のみを廃棄すればよいから、従来のプラスチック製の円筒容器を使用したウエットシート包装体と比べてもゴミの発生量が少ないだけでなく、ゴミの減容化を図れる点で優れている。
【００４９】
さらに、本実施例のウエットシート包装体１は、底部４にガゼット部Ｇが設けられて自立可能とされた袋体２の内部にロール状のウエットシート５を収容した構成であるので、平面置き（寝かせた状態）あるいは自立置き（立てた状態）のいずれでも使用でき、その点でも使い勝手が良い。また、自立タイプの袋体２を使用したウエットシート包装体５は商品としても目新しく、ファッション性に優れているという利点を有する。
【実施例４】
【００５０】
図１３は、本発明の実施例４に係るウエットシート包装体１の上部側の構造を示す。このウエットシート包装体１においては、袋体２の上縁部２２にノッチ６が形成されており、このノッチ６よりもウエットシート収納部側に位置する袋体２の内面部分に、上縁部２２から一方の側縁部（すなわちウエットシート５を取り出すための取り出し口部材８が設けられている側縁部２３とは反対側の側縁部）２１に至る密閉用のジッパー７が設けられている。そして、このジッパー７を開閉操作することで、当該ジッパー７の設けられている側の袋体２の上部を必要に応じて開閉できるようにっている。その他の構成は実施例１の場合と同様であるので、対応する部分に同符号を付してその説明を省略する。
【実施例５】
【００５１】
図１４は、本発明の実施例５に係るウエットシート包装体１の上部の傾斜部２４に設けられた取り出し口部材の周辺部の構造を示す。このウエットシート包装体１においては、袋体内部のウエットシート５の一部を外部に引き出して取り出すための取り出し口部材は、乾燥防止用のキャップ９とその連結手段であるヒンジ部１９を一体に形成してなる一つの筒部材１８で構成されている。そして、この筒部材１８に、筒内を袋体２の内部側と外部側とに区画する隔壁部１８ａが設けられており、この隔壁部１８ａに実施例１等の場合と同様のウエットシート引き出し用のスリット部８ｂが形成されている。その他の構成は実施例１の場合と同様であるので、対応する部分に同符号を付してその説明を省略する。
【００５２】
この実施例５のウエットシート包装体１においては、取り出し口部材が一つの筒部材１８で構成されているので、実施例１のように外筒部材８１と内筒部材８２の２つの部材からなる取り出し口部材に比べると構造が簡素であり、製造コストが安いというメリットがある。
【００５３】
以上の各実施例では、袋体内に連続取り出し可能に収納されるウエットシートとして、ロール状に巻かれたウエットシートを使用したが、シート長手方向において一定間隔ごとに交互に逆方向に折り畳んだウエットシートを用いることもできる。このような折り畳んだウエットシートにおいても、上述したロール状のウエットシートの場合と同様のミシン目（切れ目、破断線）を形成しておくのが望ましい。
【符号の説明】
【００５４】
１  ウエットシート包装体
２  袋体
３  袋体の胴部
４  袋体の底部
５  ウエットシート
６  ノッチ
７  ジッパー
８  取り出し口部材
８１  外筒部材
８２  内筒部材
８２ａ  内筒部材における隔壁部
８２ｂ  内筒部材におけるスリット部
９  キャップ
１０  内蓋
１１  取り出し口
１１ａ  取り出し口における隔壁部
１１ｂ  取り出し口におるけスリット部
２１  袋体の一側縁部
２２  袋体の上縁部
２３  袋体の他側縁部
Ｇ  ガゼット部
【図１】
2010285173.tif 000003
【図２】
2010285173.tif 000004
【図３】
2010285173.tif 000005
【図４】
2010285173.tif 000006
【図５】
2010285173.tif 000007
【図６】
2010285173.tif 000008
【図７】
2010285173.tif 000009
【図８】
2010285173.tif 000010
【図９】
2010285173.tif 000011
【図１０】
2010285173.tif 000012
【図１１】
2010285173.tif 000013
【図１２】
2010285173.tif 000014
【図１３】
2010285173.tif 000015
【図１４】
2010285173.tif 000016